(57)【要約】【課題】HDMI-CEC対応機器の待機電力の消費を低減する。【解決手段】HDMIブロック９９は、AVアンプ１２の電源状態が待機状態であるときに、BDレコーダ１４から送信されてくるHDMI信号を、テレビジョン受像機１１へそのまま送信し、通信制御部２５３は、テレビジョン受像機１１から送信されてくるCECメッセージに基づいて、テレビジョン受像機１１の電源状態を判定し、電源制御部２５１は、通信制御部２５３によって、テレビジョン受像機１１の電源がオンでないと判定された場合、HDMIブロック２３１への通電を停止する。本発明は、例えば、HDMIの規格に対応したAVアンプに適用することができる。【選択図】図５
2010130068.tif 000002
【特許請求の範囲】
【請求項１】
ベースバンド信号を送信する信号チャンネルと、制御に利用される制御信号を双方向に送信する制御チャンネルとを有するインタフェースを介して、１以上の装置と接続される情報処理装置において、
前記情報処理装置の電源状態が待機状態であるときに、第１の装置から送信されてくる前記ベースバンド信号を、第２の装置へそのまま送信するベースバンド信号管理部と、
前記第２の装置から送信されてくる前記制御信号に基づいて、前記第２の装置の電源状態を判定する判定手段と、
前記判定手段によって、前記第２の装置の電源がオンでないと判定された場合、前記ベースバンド信号管理部への通電を停止する電源制御手段と
を備える情報処理装置。
【請求項２】
前記判定手段は、前記第２の装置に対して、前記第２の装置の電源状態の要求を示す前記制御信号を送信し、前記第２の装置から送信されてくる、前記要求に対する回答を示す前記制御信号に基づいて、前記第２の装置の電源状態を判定する
請求項１に記載の情報処理装置。
【請求項３】
前記判定手段は、前記第２の装置に対して、前記第２の装置の電源状態の要求を示す前記制御信号を送信し、所定の時間内に、前記第２の装置からの前記回答を示す前記制御信号を受信しなかったとき、前記第２の装置の電源がオンでないと判定する
請求項２に記載の情報処理装置。
【請求項４】
前記判定手段は、前記第２の装置に対して、前記第２の装置の電源状態の要求を示す前記制御信号を送信し、所定の時間内に、前記第２の装置の電源がオンであることを示す前記制御信号を受信したとき、前記第２の装置の電源がオンであると判定し、前記第２の装置の電源がオンでないことを示す前記制御信号を受信したとき、前記第２の装置の電源がオンでないと判定する
請求項２に記載の情報処理装置。
【請求項５】
前記判定手段は、前記第２の装置からのポーリングを所定の時間を越えずに定期的に受信している間は、前記第２の装置の電源がオンであると判定し、前記第２の装置からのポーリングの受信の間隔が所定の時間を越えたとき、前記第２の装置の電源がオンでないと判定する
請求項１に記載の情報処理装置。
【請求項６】
前記判定手段は、前記第１の装置から送信されてくる所定の前記制御信号を受信し、
前記電源制御手段は、前記ベースバンド信号管理部への通電が停止された状態で、前記判定手段が、前記第１の装置から、前記インタフェースを介して接続されている装置の電源をオンにする前記制御信号を受信したとき、前記ベースバンド信号管理部への通電を開始する
請求項１に記載の情報処理装置。
【請求項７】
前記判定手段は、前記第２の装置から送信されてくる所定の前記制御信号を受信し、
前記電源制御手段は、前記ベースバンド信号管理部への通電が停止された状態で、前記判定手段が、前記第２の装置から、前記インタフェースを介して接続されている装置の電源をオンにする前記制御信号を受信したとき、前記ベースバンド信号管理部への通電を開始する
請求項１に記載の情報処理装置。
【請求項８】
前記判定手段は、前記第１および第２の装置以外の装置から送信されてくる所定の前記制御信号を受信し、
前記電源制御手段は、前記ベースバンド信号管理部への通電が停止された状態で、前記判定手段が、前記第１および第２の装置以外の装置から、前記インタフェースを介して接続されている装置の電源をオンにする前記制御信号を受信したとき、前記ベースバンド信号管理部への通電を開始する
請求項１に記載の情報処理装置。
【請求項９】
前記インタフェースは、HDMI（High Definition Multimedia Interface）であり、
前記制御信号は、CEC（Consumer Electronics Control）メッセージである
請求項１に記載の情報処理装置。
【請求項１０】
ベースバンド信号を送信する信号チャンネルと、制御に利用される制御信号を双方向に送信する制御チャンネルとを有するインタフェースを介して、１以上の装置と接続され、自身の電源状態が待機状態であるときに、第１の装置から送信されてくる前記ベースバンド信号を、第２の装置へそのまま送信するベースバンド信号管理部を備える情報処理装置の情報処理方法において、
前記第２の装置から送信されてくる前記制御信号に基づいて、前記第２の装置の電源状態を判定する判定ステップと、
前記判定ステップにおいて、前記第２の装置の電源がオンでないと判定された場合、前記ベースバンド信号管理部への通電を停止する電源制御ステップと
を含む情報処理方法。
【請求項１１】
ベースバンド信号を送信する信号チャンネルと、制御に利用される制御信号を双方向に送信する制御チャンネルとを有するインタフェースを介して、１以上の装置と接続され、自身の電源状態が待機状態であるときに、第１の装置から送信されてくる前記ベースバンド信号を、第２の装置へそのまま送信するベースバンド信号管理部を備える情報処理装置を制御する処理をコンピュータに実行させるプログラムにおいて、
前記第２の装置から送信されてくる前記制御信号に基づいて、前記第２の装置の電源状態を判定する判定ステップと、
前記判定ステップにおいて、前記第２の装置の電源がオンでないと判定された場合、前記ベースバンド信号管理部への通電を停止する電源制御ステップと
を含む処理をコンピュータに実行させるプログラム。
【発明の詳細な説明】
【技術分野】
【０００１】
本発明は、情報処理装置および方法、並びにプログラムに関し、特に、HDMI-CEC対応機器の待機電力の消費を低減することができるようにする情報処理装置および方法、並びにプログラムに関する。
【背景技術】
【０００２】
画像（動画）の信号と、その画像に付随する音声の信号とを含むベースバンド信号を高速に伝送するデジタルインタフェースとして、HDMI（High Definition Multimedia Interface）が普及している。HDMIの規格は、PC（Personal Computer）とディスプレイの接続標準規格であるDVI（Digital Visual Interface）に音声伝送機能や著作権保護機能を加えて、AV（Audio Visual）機器向けにアレンジした規格である（例えば、非特許文献１参照）。
【０００３】
HDMIを介して接続される装置（以下、HDMI装置という）には、HDMIソース(HDMI Source)、HDMIシンク(HDMI Sink)、およびHDMIリピータ(HDMI Repeater)の３種類がある。
【０００４】
HDMIソースは、HDMIを介して、画像や音声の信号を出力する出力端子を備え、HDMIシンクは、HDMIを介して、画像や音声の信号が入力される入力端子を備える。HDMIリピータは、１以上の入力端子と、１以上の出力端子とを備え、HDMIソースおよびHDMIシンクの両方であるかのように振る舞い、HDMIソースとHDMIシンクとを中継する。
【０００５】
HDMIは、HDMIソースから、必要なHDMIリピータを介して、HDMIシンクに、ベースバンドの画像や音声の信号を一方向に送信する信号チャンネルとしてのTMDS(Transition Minimized Differential Signaling)チャンネルを有する。また、HDMIは、HDMIソース、必要なHDMIリピータ、およびHDMIシンクの制御に利用される制御信号（メッセージ）を双方向に送信する制御チャンネルとしてのCEC(Consumer Electronics Control)ライン、さらには、その他のチャンネルを有する。
【０００６】
すなわち、HDMIでは、物理層には、TMDSチャンネルが採用され、HDMIで接続された装置全体の制御系の接続には、CECラインが採用されている。
【０００７】
さらに、HDMIでは、機器間の認証に、EDID(Extended Display Identification Data)が採用されている。
【０００８】
すなわち、HDMIの機器間の認証には、VESA(Video Electronics Standard Association)団体のDDC/EDID方式が採用されている。
【０００９】
DDC(Display Data Channel)は、HDMIソースが、HDMIシンク、さらには、HDMIリピータから、EDID(E-EDID(Enhanced Extended Display Identification Data))を読み出すのに使用される。
【００１０】
すなわち、HDMIシンクおよびHDMIリピータは、自身の設定(configuration)や性能(capability)に関する情報であるEDIDを記憶しているEDID ROM(Read Only Memory)を有している。HDMIソースは、HDMIシンクおよびHDMIリピータそれぞれのEDID ROMが記憶しているEDIDを、DDCを介して読み出し、そのEDIDに基づき、HDMIシンクおよびHDMIリピータの設定や性能を認識する。
【００１１】
ここで、HDMIシンクとしてのテレビジョン受像機、HDMIリピータとしてのAVアンプ、および、HDMIソースとしてのBD（Blu-ray Disc（商標））レコーダから構成されるAVシステムについて考える。
【００１２】
このAVシステムを構成する各HDMI装置は、それぞれCECに対応しており、HDMIソースとしてのBDレコーダにおける再生操作や、HDMIシンクとしてのテレビジョン受像機における電源オフ操作や選択操作に応じて、連携した動作を行う。
【００１３】
TMDSチャンネルを介して送信されるHDMI-TMDS信号（以下、単に、HDMI信号ともいう）によれば、従来の光デジタル出力では伝送することのできないマルチチャンネルPCM信号などを伝送することができる。これにより、AVアンプは、HDMIソースとしてのBDレコーダに自身のEDIDが読み出され、BDレコーダからのHDMI信号を受信し、テレビジョン受像機に対して、HDMI信号のうちの映像信号のみを伝送する。具体的には、AVアンプは、BDレコーダから、例えば、LPCM7.1CH等の高音質音声信号を受けて音声出力を行うとともに、テレビジョン受像機に対してはHDMI信号のうちの映像信号を送信する。
【００１４】
また、AVアンプは、電源待機状態（スタンバイ状態）等の場合、自身からは音声出力をせずに、入力された信号をテレビジョン受像機に送信するようにもできる。このとき、HDMI信号は、BDレコーダからAVアンプへ、そしてAVアンプからテレビジョン受像機へと流れるので、AVアンプは、例えば、BDレコーダからのHDMI信号を、そのままテレビジョン受像機に送信すればよい。そこで、AVアンプは、テレビジョン受像機のEDIDをBDレコーダに読み出させ、BDレコーダからのHDMI信号をテレビジョン受像機にそのまま送信する、いわゆる、HDMIパススルーを行う。
【００１５】
【非特許文献１】High-Definition Multimedia Interface Specification Version 1.3a,October 30 2006
【発明の開示】
【発明が解決しようとする課題】
【００１６】
AVアンプがスタンバイ状態である場合のように、AVアンプから音声出力が行われないときには、AVアンプの電源状態に関わらず、HDMIパススルーが行われることが望ましいが、そのためには、HDMI信号の送受信を行うHDMIブロックへ通電することが必要となる。
【００１７】
そのため、HDMIパススルー機能が搭載されたHDMIリピータの待機電力は、HDMIパススルー機能が搭載されていないHDMI装置に比べて大きくなっていた。
【００１８】
また、HDMIソースとしてのBDレコーダ、および、HDMIシンクとしてのテレビジョン受像機のいずれか、または両方が電源オフの状態では、HDMIリピータとしてのAVアンプは、HDMIパススルーを行う必要はない。しかしながら、従来のAVシステムにおいては、このような状態をHDMIリピータとしてのAVアンプが検出していなかったため、常時、HDMIブロックへの通電を行っていた。そのため、AVアンプの待機時にHDMIパススルーを行うことと、待機電力の消費を低減することを両立させることができなかった。
【００１９】
本発明は、このような状況に鑑みてなされたものであり、HDMI-CEC対応機器の待機電力の消費を低減できるようにするものである。
【課題を解決するための手段】
【００２０】
本発明の一側面の情報処理装置は、ベースバンド信号を送信する信号チャンネルと、制御に利用される制御信号を双方向に送信する制御チャンネルとを有するインタフェースを介して、１以上の装置と接続される情報処理装置であって、前記情報処理装置の電源状態が待機状態であるときに、第１の装置から送信されてくる前記ベースバンド信号を、第２の装置へそのまま送信するベースバンド信号管理部と、前記第２の装置から送信されてくる前記制御信号に基づいて、前記第２の装置の電源状態を判定する判定手段と、前記判定手段によって、前記第２の装置の電源がオンでないと判定された場合、前記ベースバンド信号管理部への通電を停止する電源制御手段とを備える。
【００２１】
前記判定手段には、前記第２の装置に対して、前記第２の装置の電源状態の要求を示す前記制御信号を送信させ、前記第２の装置から送信されてくる、前記要求に対する回答を示す前記制御信号に基づいて、前記第２の装置の電源状態を判定させることができる。
【００２２】
前記判定手段には、前記第２の装置に対して、前記第２の装置の電源状態の要求を示す前記制御信号を送信させ、所定の時間内に、前記第２の装置からの前記回答を示す前記制御信号を受信しなかったとき、前記第２の装置の電源がオンでないと判定させることができる。
【００２３】
前記判定手段には、前記第２の装置に対して、前記第２の装置の電源状態の要求を示す前記制御信号を送信させ、所定の時間内に、前記第２の装置の電源がオンであることを示す前記制御信号を受信したとき、前記第２の装置の電源がオンであると判定させ、前記第２の装置の電源がオンでないことを示す前記制御信号を受信したとき、前記第２の装置の電源がオンでないと判定させることができる。
【００２４】
前記判定手段には、前記第２の装置からのポーリングメッセージ等のメッセージを所定の間隔で定期的に受信している間は、前記第２の装置の電源がオンであると判定させ、前記第２の装置から送信されてくるメッセージの間隔が所定の時間を越えたとき、前記第２の装置の電源がオンでないと判定させることができる。
【００２５】
前記判定手段には、前記第１の装置から送信されてくる所定の前記制御信号を受信させ、前記電源制御手段には、前記ベースバンド信号管理部への通電が停止された状態で、前記判定手段が、前記第１の装置から、前記インタフェースを介して接続されている装置の電源をオンにする前記制御信号を受信したとき、前記ベースバンド信号管理部への通電を開始させることができる。
【００２６】
前記判定手段には、前記第２の装置から送信されてくる所定の前記制御信号を受信させ、前記電源制御手段には、前記ベースバンド信号管理部への通電が停止された状態で、前記判定手段が、前記第２の装置から、前記インタフェースを介して接続されている装置の電源をオンにする前記制御信号を受信したとき、前記ベースバンド信号管理部への通電を開始させることができる。
【００２７】
前記判定手段には、前記第１および第２の装置以外の装置から送信されてくる所定の前記制御信号を受信させ、前記電源制御手段には、前記ベースバンド信号管理部への通電が停止された状態で、前記判定手段が、前記第１および第２の装置以外の装置から、前記インタフェースを介して接続されている装置の電源をオンにする前記制御信号を受信したとき、前記ベースバンド信号管理部への通電を開始させることができる。
【００２８】
前記インタフェースは、HDMI（High Definition Multimedia Interface）とし、前記制御信号は、CEC（Consumer Electronics Control）メッセージとすることができる。
【００２９】
本発明の一側面の情報処理方法は、ベースバンド信号を送信する信号チャンネルと、制御に利用される制御信号を双方向に送信する制御チャンネルとを有するインタフェースを介して、１以上の装置と接続され、自身の電源状態が待機状態であるときに、第１の装置から送信されてくる前記ベースバンド信号を、第２の装置へそのまま送信するベースバンド信号管理部を備える情報処理装置の情報処理方法であって、前記第２の装置から送信されてくる前記制御信号に基づいて、前記第２の装置の電源状態を判定する判定ステップと、前記判定ステップにおいて、前記第２の装置の電源がオンでないと判定された場合、前記ベースバンド信号管理部への通電を停止する電源制御ステップとを含む。
【００３０】
本発明の一側面のプログラムは、ベースバンド信号を送信する信号チャンネルと、制御に利用される制御信号を双方向に送信する制御チャンネルとを有するインタフェースを介して、１以上の装置と接続され、自身の電源状態が待機状態であるときに、第１の装置から送信されてくる前記ベースバンド信号を、第２の装置へそのまま送信するベースバンド信号管理部を備える情報処理装置を制御する処理をコンピュータに実行させるプログラムであって、前記第２の装置から送信されてくる前記制御信号に基づいて、前記第２の装置の電源状態を判定する判定ステップと、前記判定ステップにおいて、前記第２の装置の電源がオンでないと判定された場合、前記ベースバンド信号管理部への通電を停止する電源制御ステップとを含む処理をコンピュータに実行させる。
【００３１】
本発明の一側面においては、第２の装置から送信されてくる制御信号に基づいて、第２の装置の電源状態が判定され、第２の装置の電源がオンでないと判定された場合、情報処理装置の電源状態が待機状態であるときに、第１の装置から送信されてくるベースバンド信号を、第２の装置へそのまま送信するベースバンド信号管理部への通電が停止される。
【発明の効果】
【００３２】
本発明の一側面によれば、HDMI-CEC対応機器の待機電力の消費を低減することが可能となる。
【発明を実施するための最良の形態】
【００３３】
以下、本発明の実施の形態について図を参照して説明する。
【００３４】
［AVシステムの構成例］
図１は、本発明を適用した一実施の形態としてのAVシステムの構成例を示している。
【００３５】
図１のAVシステムは、テレビジョン受像機１１、AVアンプ１２、スピーカ群１３、BDレコーダ１４、DVDプレーヤ１５、および衛星チューナ１６から構成される。
【００３６】
テレビジョン受像機１１、AVアンプ１２、BDレコーダ１４、DVDプレーヤ１５、および衛星チューナ１６はそれぞれ、HDMI-CEC対応機器（以下、単にCEC対応機器という）である。図１のAVシステムにおいては、テレビジョン受像機１１とAVアンプ１２とがHDMIケーブルで接続され、AVアンプ１２と、BDレコーダ１４、DVDプレーヤ１５、衛星チューナ１６のそれぞれとがHDMIケーブルで接続されている。また、図１のAVシステムにおいては、テレビジョン受像機１１がHDMIシンクに、AVアンプ１２がHDMIリピータに、BDレコーダ１４、DVDプレーヤ１５、および衛星チューナ１６のそれぞれがHDMIソースに対応する。
【００３７】
さらに、テレビジョン受像機１１とAVアンプ１２とは、OPTICALケーブルでも接続されている。テレビジョン受像機１１は、OPTICALケーブルを介して、光デジタル音声信号をAVアンプ１２に供給する。
【００３８】
さらに、CEC対応機器には固有の物理アドレスが割り当てられる。図１のAVシステムにおいては、テレビジョン受像機１１には（0.0.0.0）、AVアンプ１２には（1.0.0.0）、BDレコーダ１４には（1.1.0.0）、DVDプレーヤ１５には（1.2.0.0）、衛星チューナ１６には（1.3.0.0）の物理アドレスが、それぞれ割り当てられている。
【００３９】
また、AVアンプ１２には、スピーカ群１３が接続されている。このスピーカ群１３は、例えば、5.1CHサラウンドを実現する、ユーザの正面、右前方、左前方、右後方、左後方に位置するスピーカ、および低音出力用サブウーファスピーカで構成されている。
【００４０】
図１のAVシステムにおいて、AVアンプ１２は、AVアンプ１２が音声を出力するモード（システムオーディオモード）がオンである場合、BDレコーダ１４等からのHDMI信号を受信し、テレビジョン受像機１１に対して、HDMI信号のうちの映像信号のみを伝送する。また、AVアンプ１２は、システムオーディオモードがオフである場合、BDレコーダ１４等からのHDMI信号を受信し、テレビジョン受像機１１に対して、BDレコーダ１４等からのHDMI信号をテレビジョン受像機にそのまま送信する（HDMIパススルーを行う）。
【００４１】
また、図１のAVシステムにおいて、テレビジョン受像機１１、AVアンプ１２、BDレコーダ１４、DVDプレーヤ１５、および衛星チューナ１６はそれぞれ、各HDMI装置における操作に応じて、CECラインを介して送受信される制御信号であるCECメッセージに基づいた動作を行う。CECメッセージの詳細については後述する。
【００４２】
［テレビジョン受像機の構成例］
次に、図２を参照して、テレビジョン受像機１１の具体的な構成例について説明する。
【００４３】
図２のテレビジョン受像機１１は、被制御部３１および制御部３２から構成される。被制御部３１は、制御部３２の制御の下、テレビジョン受像機１１の種々の機能を実現する。
【００４４】
被制御部３１は、HDMIスイッチャ（HDMI SW）５０、HDMI受信部（HDMI Rx）５１、CEC通信部５２、デジタルチューナ５３、デマルチプレクサ（Demux）５４、MPEG(Moving Picture Expert Group)デコーダ５５、映像・グラフィック処理回路５６、パネル駆動回路５７、表示パネル５８、音声処理回路５９、音声増幅回路６０、スピーカ６１、および受信部６２を備えている。また、制御部３２は、CPU（Central Processing Unit）６３、フラッシュROM６４、DRAM（Dynamic Random Access Memory）６５、および内部バス６６を備えている。
【００４５】
HDMIスイッチャ５０は、図示せぬ２つのHDMI端子をHDMI受信部５１に選択的に接続する。
【００４６】
HDMI受信部５１は、HDMIスイッチャ５０を介して、図示せぬ２つのHDMI端子のいずれかに選択的に接続されている。HDMI受信部５１は、HDMIに準拠した通信により、図示せぬ２つのHDMI端子に接続されている外部機器（HDMIソース、またはHDMIリピータ）から一方向に送信されてくるベースバンドの映像と音声の信号（HDMI信号）を受信する。HDMI受信部５１は、受信したHDMI信号のうちの映像信号を映像・グラフィック処理回路５６に供給し、受信したHDMI信号のうちの音声信号を音声処理回路５９に供給する。
【００４７】
CEC通信部５２は、CPU６３の制御に基づいて、HDMIリピータまたはHDMIソースとの間で、CECラインを介したCECメッセージの送受信を行う。
【００４８】
デジタルチューナ５３は、図示せぬアンテナ端子から入力されたテレビジョン放送信号を処理して、ユーザの選択したチャンネルに対応した所定のTS（Transport Stream）を、デマルチプレクサ５４に供給する。
【００４９】
デマルチプレクサ５４は、デジタルチューナ５３から供給されたTSから、ユーザの選択したチャンネルに対応した、パーシャルTS（映像信号のTSパケット、音声信号のTSパケット）を抽出し、MPEGデコーダ５５に供給する。
【００５０】
また、デマルチプレクサ５４は、デジタルチューナ５３から供給されたTSから、PSI/SI(Program Specific Information/Service Information)を取り出し、CPU６３に供給する。デジタルチューナ５３から供給されたTSには、複数のチャンネルが多重化されている。デマルチプレクサ５４がTSから任意のチャンネルのパーシャルTSを抽出する処理は、PSI/SI（PAT/PMT）から任意のチャンネルのパケットID（PID）の情報を得ることで可能となる。
【００５１】
MPEGデコーダ５５は、デマルチプレクサ５４から供給される映像信号のTSパケットにより構成される映像PES(Packetized Elementary Stream)パケットに対してデコード処理を行い、その結果得られる映像信号を、映像・グラフィック処理回路５６に供給する。また、MPEGデコーダ５５は、デマルチプレクサ５４から供給される音声信号のTSパケットにより構成される音声PESパケットに対してデコード処理を行い、その結果得られる音声信号を、音声処理回路５９に供給する。
【００５２】
映像・グラフィック処理回路５６は、HDMI受信部５１またはMPEGデコーダ５５から供給された映像信号に対して、必要に応じて、スケーリング処理、グラフィックスデータの重畳処理等を行い、パネル駆動回路５７に供給する。
【００５３】
パネル駆動回路５７は、映像・グラフィック処理回路５６から供給された映像信号に基づいて、表示パネル５８を駆動し、映像を表示させる。表示パネル５８は、例えば、LCD(Liquid Crystal Display)またはPDP(Plasma Display Panel)等で構成されている。
【００５４】
音声処理回路５９は、HDMI受信部５１またはMPEGデコーダ５５から供給された音声信号に対してD/A（Digital to Analog）変換等の必要な処理を行い、音声増幅回路６０に供給する。
【００５５】
音声増幅回路６０は、音声処理回路５９から供給されるアナログ音声信号を増幅し、スピーカ６１に供給する。スピーカ６１は、音声増幅回路６０からのアナログ音声信号に応じた音声を出力する。
【００５６】
受信部６２は、リモートコントローラ６７から送信された、例えば赤外線のリモートコントロール信号を受信し、CPU６３に供給する。ユーザは、リモートコントローラ６７を操作することで、テレビジョン受像機１１の操作、および、テレビジョン受像機１１にHDMIケーブルで接続されている、その他のCEC対応機器の操作を行うことができる。
【００５７】
CPU６３、フラッシュROM６４、およびDRAM６５は、内部バス６６を介して接続されている。CPU６３は、テレビジョン受像機１１の各部の動作を制御する。フラッシュROM６４は、制御ソフトウェアの格納およびデータの保管を行う。DRAM６５は、CPU６３のワークエリア等を構成する。すなわち、CPU６３は、フラッシュROM６４から読み出したソフトウェアやデータをDRAM６５上に展開してソフトウェアを起動し、テレビジョン受像機１１の各部を制御する。
【００５８】
［AVアンプの構成例］
次に、図３を参照して、AVアンプ１２の具体的な構成例について説明する。
【００５９】
図３のAVアンプ１２は、被制御部７１、マイクロコンピュータ７２、ユーザインタフェース（I/F）部７３、および電源７４から構成される。被制御部７１は、マイクロコンピュータ７２の制御の下、AVアンプ１２の種々の機能を実現する。ユーザI/F部７３は、ユーザの操作に応じた信号の入力を受け付けるとともに、ユーザに対し、情報を提示するようになされている。電源７４は、マイクロコンピュータ７２の制御に基づいて、被制御部７１、マイクロコンピュータ７２、およびユーザI/F部７３のそれぞれに、電力を供給する。
【００６０】
被制御部７１は、HDMIスイッチャ（HDMI SW）８０、HDMI受信部（HDMI Rx）８１、HDMI送信部（HDMI Tx）８２、CEC通信部８３、変換部８４、チューナ８５、セレクタ８６、A/D（Analog to Digital）変換器８７、セレクタ８８、DSP（Digital Signal Processor）８９、および音声増幅回路９０を備えている。マイクロコンピュータ７２は、内部バス９１、CPU９２、フラッシュROM９３、およびDRAM９４を備えている。また、ユーザI/F部７３は、ユーザ操作部９５および表示部９６を備えている。
【００６１】
なお、HDMIスイッチャ８０、HDMI受信部８１、およびHDMI送信部８２からなる構成を、以下、HDMIブロック９９と称する。HDMIブロック９９は、システムオーディオモードがオフである場合、BDレコーダ１４からのHDMI信号を受信し、テレビジョン受像機１１に対して、BDレコーダ１４からのHDMI信号をテレビジョン受像機にそのまま送信する（HDMIパススルーを行う）。
【００６２】
HDMIスイッチャ８０は、図示せぬ複数のHDMI端子を、HDMI受信部８１に選択的に接続する。
【００６３】
HDMI受信部８１は、HDMIスイッチャ８０を介して、図示せぬ複数のHDMI端子のいずれかに選択的に接続されている。HDMI受信部８１は、HDMIに準拠した通信により、図示せぬ複数のHDMI端子に接続されている外部機器（HDMIソース）から一方向に送信されてくるベースバンドの映像と音声の信号（HDMI信号）を受信する。HDMI受信部８１は、受信したHDMI信号のうちの音声信号をセレクタ８８に供給したり、受信したHDMI信号をそのままHDMI送信部８２に供給する。
【００６４】
HDMI送信部８２は、HDMIに準拠した通信により、HDMI受信部８１から供給されたベースバンドの映像と音声の信号（HDMI信号）を図示せぬHDMI端子から送出する。
【００６５】
以上のような構成により、AVアンプ１２は、HDMIリピータとして機能する。
【００６６】
CEC通信部８３は、CPU９２の制御に基づいて、HDMIシンクまたはHDMIソースとの間で、CECラインを介したCECメッセージの送受信を行う。
【００６７】
変換部８４は、図示せぬ光入力端子から入力されたデジタル光信号から、音声信号のサンプリング周波数と同じ周波数（例えば、44.1kHz）を持つクロックLRCK、サンプリング周波数の例えば512倍あるいは256倍のマスタークロックMCKと、クロックLRCKの１周期毎に存在するそれぞれ24ビットの左右の音声データLDATA，RDATAと、データの各ビットに同期したビットクロックBCKを生成して、セレクタ８８に供給する。
【００６８】
チューナ８５は、図示せぬFM受信アンテナで受信されたFM放送信号を入力するアンテナ端子（図示せず）から入力されたFM放送信号を処理して、ユーザの選択したチャンネルに対応した左右のアナログ音声信号を、セレクタ８６に供給する。
【００６９】
セレクタ８６は、図示せぬ外部機器から供給される左右のアナログ音声信号を入力するアナログ音声入力端子（図示せず）から入力されたアナログ音声信号、または、チューナ８５から供給されたアナログ音声信号を選択的に取り出し、A/D変換器８７に供給する。
【００７０】
A/D変換器８７は、セレクタ８６から供給されたアナログ音声信号をデジタルの音声信号に変換してセレクタ８８に供給する。
【００７１】
セレクタ８８は、HDMI受信部８１から供給される音声信号、変換部８４から供給される音声信号、またはA/D変換器８７から供給される音声信号を選択的に取り出し、DSP８９に供給する。
【００７２】
DSP８９は、セレクタ８８から供給された音声信号を処理する。DSP８９は、例えば、5.1CHサラウンドを実現するための各チャンネルの音声信号を生成する処理、所定の音場特性を付与する処理、デジタル信号をアナログ信号に変換する処理等を行い、音声増幅回路９０に供給する。
【００７３】
音声増幅回路９０は、DSP８９から供給される音声信号としての、フロントレフト音声信号、フロントライト音声信号、フロントセンタ音声信号と、リアレフト音声信号、リアライト音声信号およびサブウーファ音声信号を増幅して、図示せぬ音声出力端子に出力する。なお、図示せぬ音声出力端子には、スピーカ群１３を構成するフロントレフトスピーカ、フロントライトスピーカ、フロントセンタースピーカ、リアレフトスピーカ、リアライトスピーカ、およびサブウーファスピーカが接続されている。
【００７４】
CPU９２、フラッシュROM９３、およびDRAM９４は、内部バス９１を介して接続されている。CPU９２は、AVアンプ１２の各部の動作を制御する。フラッシュROM９３は、制御ソフトウェアの格納およびデータの保管を行う。DRAM９４は、CPU９２のワークエリア等を構成する。CPU９２は、フラッシュROM９３から読み出したソフトウェアやデータをDRAM９４上に展開してソフトウェアを起動し、AVアンプ１２の各部を制御する。
【００７５】
また、CPU９２には、ユーザ操作部９５および表示部９６が接続されている。
【００７６】
ユーザ操作部９５は、AVアンプ１２の図示せぬ筐体に配置されたキー、釦、ダイアル、リモートコントローラ等で構成される。表示部９６は、LCDや、LCDとは別個に設けられた電源ランプ等で構成され、AVアンプ１２の動作状態、ユーザの操作状態、電源７４の電源状態等を表示する。ユーザは、ユーザ操作部９５を操作することにより、AVアンプ１２から出力される音声の選択および音量設定、チューナ８５の選局、動作設定、後述するControl for HDMIの設定等を行うことができる。
【００７７】
［BDレコーダの構成例］
次に、図４を参照して、BDレコーダ１４の具体的な構成例について説明する。
【００７８】
図４のBDレコーダ１４は、被制御部１０１、記録再生部１０２、制御部１０３、およびユーザI/F部１０４から構成される。被制御部１０１は、制御部１０３の制御の下、BDレコーダ１４の種々の機能を実現する。記録再生部１０２は、BDレコーダ１４に入力され、所定の処理を施されたテレビジョン放送信号の記録および再生を行う。ユーザI/F部１０４は、ユーザの操作に応じた信号の入力を受け付けるとともに、ユーザに対し、情報を提示するようになされている。
【００７９】
被制御部１０１は、HDMI送信部（HDMI Tx）１１０、CEC通信部１１１、デジタルチューナ１１２、デマルチプレクサ（Demux）１１３、MPEGデコーダ１１４、およびグラフィック生成回路１１５を備えている。記録再生部１０２は、記録部I/F１１６およびBDドライブ１１７を備えている。制御部１０３は、内部バス１１８、CPU１１９、フラッシュROM１２０、およびDRAM１２１を備えている。また、ユーザI/F部１０４は、ユーザ操作部１２２および表示部１２３を備えている。
【００８０】
HDMI送信部１１０は、HDMIに準拠した通信により、MPEGデコーダ１１４から供給されたベースバンドの映像と音声の信号（HDMI信号）を、図示せぬHDMI端子から送出する。
【００８１】
CEC通信部１１１は、CPU１１９の制御に基づいて、HDMIシンクまたはHDMIリピータとの間で、CECラインを介したCECメッセージの送受信を行う。
【００８２】
デジタルチューナ１１２は、図示せぬ受信アンテナで受信されたテレビジョン放送信号を入力するアンテナ端子（図示せず）から入力されるテレビジョン放送信号を処理して、所定のTSをデマルチプレクサ１１３に供給する。
【００８３】
デマルチプレクサ１１３は、デジタルチューナ１１２から供給されたTSから、所定の選択チャンネルに対応した、パーシャルTS（映像信号のTSパケット、音声信号のTSパケット）を抽出し、MPEGデコーダ１１４に供給する。
【００８４】
また、デマルチプレクサ１１３は、デジタルチューナ１１２から供給されたTSから、PSI/SIを取り出し、CPU１１９に出力する。デジタルチューナ１１２から供給されたTSには複数のチャンネルが多重化されている。デマルチプレクサ１１３でTSから任意のチャンネルのパーシャルTSを抽出する処理は、PSI/SI（PAT/PMT）から任意のチャンネルのパケットID（PID）の情報を得ることで可能となる。
【００８５】
MPEGデコーダ１１４は、デマルチプレクサ１１３で抽出されたか、あるいは、BDドライブ１１７で再生されたパーシャルTSを構成する映像PESパケットに対してデコード処理を行い、その結果得られる映像信号をグラフィック生成回路１１５に供給する。また、MPEGデコーダ１１４は、パーシャルTSを構成する音声PESパケットに対してデコード処理を行い、その結果得られる音声信号を、図示せぬ音声出力端子を介して出力する。
【００８６】
グラフィック生成回路１１５は、MPEGデコーダ１１４で得られた映像信号に対して、必要に応じてグラフィックスデータの重畳処理等を行い、図示せぬ映像出力端子を介して出力する。
【００８７】
BDドライブ１１７は、記録部I/F１１６を介して内部バス１１８に接続されている。BDドライブ１１７は、記録時には、デマルチプレクサ１１３で抽出されたパーシャルTSをBDに記録する。また、BDドライブ１１７は、再生時には、BDに記録されているパーシャルTSを再生する。
【００８８】
CPU１１９、フラッシュROM１２０、DRAM１２１は、内部バス１１８を介して接続されている。CPU１１９は、BDレコーダ１４の各部の動作を制御する。フラッシュROM１２０は、制御ソフトウェアの格納およびデータの保管を行う。DRAM１２１は、CPU１１９のワークエリア等を構成する。すなわち、CPU１１９は、フラッシュROM１２０から読み出したソフトウェアやデータをDRAM１２１上に展開してソフトウェアを起動し、BDレコーダ１４の各部を制御する。
【００８９】
また、CPU１１９には、ユーザ操作部１２２および表示部１２３が接続されている。ユーザ操作部１２２は、BDレコーダ１４の図示せぬ筐体に配置されたキー、釦、ダイアル、リモートコントローラ等で構成される。表示部１２３は、LCD等で構成され、BDレコーダ１４の動作状態、ユーザの操作状態等を表示する。ユーザは、ユーザ操作部１２２を操作することにより、BDレコーダ１４の動作を操作できる。
【００９０】
［AVシステムの機能構成例］
次に、図５を参照して、図１のAVシステムの機能構成例について説明する。なお、図５のAVシステムにおいて、図２のテレビジョン受像機１１、図３のAVアンプ１２、および図４のBDレコーダ１４に示されたものと同一の構成については、同一名称および同一符号を付するものとし、その説明は、適宜省略する。
【００９１】
図５のテレビジョン受像機１１は、被制御部３１および制御部３２を含むように構成される。
【００９２】
被制御部３１は、HDMI受信部５１、CEC通信部５２、および機能実行部２１０を備えている。
【００９３】
機能実行部２１０は、図２に示されるテレビジョン受像機１１の、HDMI受信部５１およびCEC通信部５２を除いた被制御部３１に対応し、制御部３２の制御の下、テレビジョン受像機１１の種々の機能を実現する。
【００９４】
図５のAVアンプ１２は、被制御部７１、マイクロコンピュータ７２、および電源７４を含むように構成される。
【００９５】
被制御部７１は、CEC通信部８３、HDMIブロック９９、および機能実行部２３０を備えている。
【００９６】
機能実行部２３０は、図３に示されるAVアンプ１２の、HDMIスイッチャ８０、HDMI受信部８１、HDMI送信部８２、およびCEC通信部８３を除いた被制御部７１に対応し、マイクロコンピュータ７２の制御の下、AVアンプ１２の種々の機能を実現する。
【００９７】
マイクロコンピュータ７２は、図３に示されるAVアンプ１２のマイクロコンピュータ７２に対応し、電源制御部２５１、カウンタ２５２、通信制御部２５３、およびメッセージ管理部２５４を備えている。
【００９８】
電源制御部２５１は、電源７４の電力の供給を制御し、AVアンプ１２の各部への通電を制御する。例えば、電源制御部２５１は、カウンタ２５２や通信制御部２５３から供給される、HDMIブロック９９への通電に関する指示に基づいて、HDMIブロック９９への通電を制御する。
【００９９】
カウンタ２５２は、通信制御部２５３によって制御されるCEC通信部８３におけるCECメッセージの受信の間隔（時間）をカウントする。
【０１００】
通信制御部２５３は、CEC通信部８３におけるCECメッセージの送受信を制御する。例えば、通信制御部２５３は、カウンタ２５２のカウント値に応じて、CECメッセージを記憶しているメッセージ管理部２５４から、CECメッセージを読み出して、CEC通信部８３に送信させる。また、通信制御部２５３は、CEC通信部８３が受信したCECメッセージに応じて、HDMIブロック９９への通電に関する指示を電源制御部２５１に供給する。
【０１０１】
図５のBDレコーダ１４は、被制御部１０１および制御部１０３を含むように構成される。
【０１０２】
被制御部１０１は、HDMI送信部１１０、CEC通信部１１１、および機能実行部２７０を備えている。
【０１０３】
機能実行部２７０は、図４に示されるBDレコーダ１４の、HDMI送信部１１０およびCEC通信部１１１を除いた被制御部１０１に対応し、制御部１０３の制御の下、BDレコーダ１４の種々の機能を実現する。
【０１０４】
DVDプレーヤ１５および衛星チューナ１６は、基本的に、BDレコーダ１４と同様の機能および構成を有するので、その説明は省略する。また、以下において、BDレコーダ１４乃至DVDプレーヤ１５および衛星チューナ１６の処理について説明する場合には、適宜、BDレコーダ１４に注目して説明することとする。
【０１０５】
［AVアンプの装置全体の電源状態と、HDMIブロックへの通電状態との関係］
ここで、図６を参照して、AVアンプ１２の装置全体の電源状態と、HDMIブロック９９への通電状態との関係について説明する。
【０１０６】
図６には、AVアンプ１２の装置全体の電源状態（SYSTEM POWER）に対して、表示部９６の電源ランプの色（POWER LED）、およびHDMIブロック９９への通電状態がそれぞれ示されている。電源状態には、POWER ON、OFF、およびACTIVE STANDBYの３種類があり、この電源状態により、HDMIブロック９９の通電状態が変化する。
【０１０７】
具体的には、SYSTEM POWERがPOWER ON、いわゆる電源オンの状態のとき、電源ランプの色は、緑色で点灯し、HDMIブロック９９への通電状態は「あり」、すなわち、常に、HDMIブロック９９へ電力が供給されている状態となる。
【０１０８】
次に、AVアンプの電源オン以外の状態は、Control for HDMI（HDMIブロック９９の動作の制御の可否）の状態に応じて、OFFおよびACTIVE STANDBYの２通りがあり、これらは、HDMIブロック９９への通電状態が異なる。
【０１０９】
すなわち、Control for HDMIがOFFの状態で電源オフ操作を行うと、SYSTEM POWERがOFFの状態となり、電源ランプの色は消灯する。このとき、HDMIブロック９９への通電状態は「なし」、すなわち、HDMIブロック９９へ電力が供給されない状態となる。
【０１１０】
一方、Control for HDMIがONの状態で電源オフ操作を行うと、SYSTEM POWERがACTIVE STANDBYとなり、電源ランプの色は橙色で点灯する。このとき、HDMIブロック９９への通電状態は「あり」または「なし」となり、電源制御部２５１によって後述するような電源制御がなされる状態となる。
【０１１１】
なお、本実施の形態においては、HDMIブロック９９への通電状態を電源ランプにて示さないようにしているが、上述の制御状態において、HDMIブロック９９への通電状態が「あり」のときのみ電源ランプを橙色で点灯させ、「なし」のときに消灯させることで、HDMIブロック９９への通電状態を示してもよい。
【０１１２】
また、上述したHDMIブロック９９への通電状態の制御は、AVアンプ１２側の事前設定で、有効／無効を選択するようにしてもよい。すなわち、本機能を無効に設定している場合には、ACTIVE STANDBY状態で常にHDMIブロックへの通電を行い、有効に設定している場合には、上述した動作をするようにしてもよい。
【０１１３】
このように、図５のAVアンプ１２においては、AVアンプ１２の装置全体の電源状態に応じて、HDMIブロック９９への通電状態が変化する。特に、AVアンプ１２の装置全体の電源状態がスタンバイ状態のときには、HDMIブロック９９への通電が制御される。
【０１１４】
［HDMIブロックへの通電制御処理］
次に、図７乃至１１のフローチャートを参照して、図５のAVシステムにおけるAVアンプ１２のHDMIブロック９９への通電制御処理について説明する。
【０１１５】
図７は、テレビジョン受像機１１による電源状態送信制御処理を説明するフローチャートである。図８は、AVアンプ１２によるHDMIブロック９９の電源オフ処理を説明するフローチャートである。図９は、ステップＳ３３におけるHDMIブロック９９の電源オフ制御処理の詳細について説明するフローチャートである。図１０は、BDレコーダ１４によるテレビジョン受像機１１の起動指示処理を説明するフローチャートである。そして、図１１は、AVアンプ１２によるHDMIブロック９９の電源オン処理を説明するフローチャートである。
【０１１６】
ステップＳ１１において、テレビジョン受像機１１の制御部３２は、テレビジョン受像機１１の装置全体の電源状態がオンであるか否かを判定する。
【０１１７】
ステップＳ１１において、例えば、ユーザがテレビジョン受像機１１の電源をオンにして、所定の番組を視聴しているような場合、電源状態がオンであると判定され、処理は、ステップＳ１２に進む。なお、実際には、テレビジョン受像機１１の電源状態として、「電源オン」、「スタンバイ」および「電源オフ」以外に、「スタンバイからオンへの遷移中」や「オンからスタンバイへの遷移中」という状態があるが、図７においては、図示しないこととし、その説明も省略する。
【０１１８】
ステップＳ１２において、制御部３２は、CEC通信部５２に、定期的にポーリングメッセージを出力させる。より具体的には、制御部３２は、CEC通信部５２に、CECメッセージである<Polling Message>を定期的に送信させる。ここで、<Polling Message>は、CEC対応機器が、他のCEC対応機器を検出する際に、HDMIを介して接続されるHDMI装置に対して送信するCECメッセージである。ここで、例えば、CEC通信部５２は、15秒間に１回、HDMIを介して接続されるHDMI装置（AVアンプ１２、BDレコーダ１４、DVDプレーヤ１５、および衛星チューナ１６）を検出するために、<Polling Message>を送信するものとする。
【０１１９】
ステップＳ３１（図８）において、AVアンプ１２の電源制御部２５１は、電源７４からAVアンプ１２の各部への電力供給状態を基に、AVアンプ１２の装置全体の電源状態がACTIVE STANDBY状態（スタンバイ状態）であるか否かを判定する。
【０１２０】
ステップＳ３１において、AVアンプ１２の装置全体の電源状態がACTIVE STANDBY状態でないと判定された場合、すなわち、AVアンプ１２の電源状態がPOWER ONまたはOFFである場合、ACTIVE STANDBY状態となるまで、ステップＳ３１の処理を繰り返す。このとき、表示部９６の電源ランプは緑色に点灯または消灯している。
【０１２１】
一方、ステップＳ３１において、AVアンプ１２の装置全体の電源状態がACTIVE STANDBY状態であると判定された場合、処理は、ステップＳ３２に進み、電源制御部２５１は、HDMIブロック９９の電源がオンであるか否かを判定する。
【０１２２】
ステップＳ３２において、HDMIブロック９９の電源がオンであると判定された場合、処理は、ステップＳ３３に進み、マイクロコンピュータ７２は、HDMIブロック９９の電源オフ制御処理を実行する。なお、このとき、表示部９６の電源ランプは橙色に点灯している。
【０１２３】
また、ステップＳ３２において、HDMIブロック９９の電源がオンでないと判定された場合、処理は、ステップＳ３１に戻る。
【０１２４】
続いて、HDMIブロック９９の電源オフ制御処理の詳細について説明する。
【０１２５】
ステップＳ７１（図９）において、AVアンプ１２のカウンタ２５２は、カウントを開始する。すなわち、カウンタ２５２は、AVアンプ１２の装置全体の電源状態がスタンバイ状態になると、カウントを開始し、ステップＳ７２において、カウンタ２５２は、カウント値を１インクリメントする。
【０１２６】
ステップＳ７３において、通信制御部２５３は、CEC通信部８３が、テレビジョン受像機１１からのポーリングメッセージを受信したか否かを判定する。より具体的には、通信制御部２５３は、CEC通信部８３が、ステップＳ１２（図７）の処理によりテレビジョン受像機１１から送信されてくる<Polling Message>を受信したか否かを判定する。
【０１２７】
この場合、すなわち、AVアンプ１２が電源オンであるテレビジョン受像機１１と接続されている場合、ステップＳ７３（図９）において、ポーリングメッセージを受信したと判定されるので、処理は、ステップＳ７４に進み、AVアンプ１２のカウンタ２５２は、カウントしていたカウント値をリセットし、ステップＳ７１に戻り、再びカウントを開始する。
【０１２８】
一方、ステップＳ７３において、AVアンプ１２が電源オフであるテレビジョン受像機１１と接続されている場合等、ポーリングメッセージを一定時間内に受信しなかったと判定された場合、処理は、ステップＳ７５に進む。
【０１２９】
ステップＳ７５において、カウンタ２５２は、カウントしているカウント値が、所定のカウント値になったか否かを判定する。例えば、カウンタ２５２は、１秒間で１カウントし、所定のカウント値が31である場合、カウント値が31になったか、すなわち、カウントを開始してから、所定の時間としての31秒が経過したか否かを判定する。
【０１３０】
ステップＳ７５において、例えば、カウント値が31になっていない、すなわち、カウントを開始して（ステップＳ７１）から31秒が経過していないと判定された場合、処理は、ステップＳ７２に戻り、カウント値を１インクリメントしてから、再度、15秒に１回送信されてくるポーリングメッセージを受信したかの判定が行われる。ここで、ポーリングメッセージを受信したと判定された場合には、ステップＳ７４において、カウント値がリセットされる。また、ポーリングメッセージを受信していないと判定されている間は、カウンタ２５２は、１秒ごとにカウント値を１インクリメントする。
【０１３１】
このように、AVアンプ１２のカウンタ２５２は、テレビジョン受像機１１からポーリングメッセージを定期的に受信している間は、ステップＳ７１乃至Ｓ７５の処理を繰り返し、AVアンプ１２は、後述する<Give Device Power Status>によって、テレビジョン受像機１１の電源状態の確認を行うことはしない。
【０１３２】
一方、ステップＳ７５において、例えば、カウント値が31になり、カウントを開始して（ステップＳ７１）から31秒が経過したと判定された場合、すなわち、30秒間に２回送信されてくるはずの<Polling Message>を、31秒間１度も受信していない場合、処理は、ステップＳ７６に進む。
【０１３３】
ステップＳ７６において、通信制御部２５３は、CECメッセージである<Give Device Power Status>を、メッセージ管理部２５４から読み出し、CEC通信部８３に、テレビジョン受像機１１に対して送信させる。ここで、<Give Device Power Status>は、CEC対応機器が、所定のCEC対応機器の現在の電源の状態を要求するために、HDMIを介して、その所定のCEC対応機器に対して送信するCECメッセージである。
【０１３４】
そして、ステップＳ７７において、カウンタ２５２は、CEC通信部８３がテレビジョン受像機１１に対して<Give Device Power Status>を送信してからのカウントを開始し、ステップＳ７８において、カウンタ２５２は、カウント値をリセットするとともに、新たに、カウント値を１インクリメントする。
【０１３５】
ステップＳ１３（図７）において、テレビジョン受像機１１の制御部３２は、CEC通信部５２が、AVアンプ１２から送信されてくる<Give Device Power Status>を受信したか否かを判定する。
【０１３６】
ステップＳ１３において、<Give Device Power Status>を受信していないと判定された場合、処理は、ステップＳ１４をスキップして、ステップＳ１１に戻る。
【０１３７】
一方、ステップＳ１３において、<Give Device Power Status>を受信したと判定された場合、処理は、ステップＳ１４に進む。
【０１３８】
ステップＳ１４において、制御部３２は、CEC通信部５２に、CECメッセージである<Report Power Status>を送信させる。ここで、<Report Power Status>は、<Give Device Power Status>を送信してきたCEC対応機器に対して、現在の電源の状態を回答するために送信されるCECメッセージである。
【０１３９】
より詳細には、<Report Power Status>は、現在の電源の状態を表す４種類の引数（パラメータ）“On”，“Standby”，“In transition Standby to On”，“In transition On to Standby”を有する。“On”は、現在の電源の状態がオン状態であることを表し、“Standby”は、現在の電源の状態がスタンバイ状態であることを表している。また、“In transition Standby to On”は、現在の電源の状態がスタンバイ状態からオン状態へ遷移中であることを表し、“In transition On to Standby”は、現在の電源の状態がオン状態からスタンバイ状態へ遷移中であることを表している。
【０１４０】
ここで、テレビジョン受像機１１の電源の状態はオン状態であるので、ステップＳ１４においては、制御部３２は、CEC通信部５２に、引数が“On”である<Report Power Status>を、AVアンプ１２に対して送信させ、処理は、ステップＳ１１に戻る。
【０１４１】
ステップＳ７９（図９）において、AVアンプ１２の通信制御部２５３は、CEC通信部８３が、ステップＳ１４（図７）の処理によりテレビジョン受像機１１から送信されてくる<Report Power Status>を受信したか否かを判定する。
【０１４２】
この場合、テレビジョン受像機１１からの<Report Power Status>を受信したと判定され、処理は、ステップＳ８０に進む。
【０１４３】
ステップＳ８０において、通信制御部２５３は、CEC通信部８３が受信した<Report Power Status>の引数に基づいて、テレビジョン受像機１１の電源がオンであるか否かを判定する。より具体的には、通信制御部２５３は、テレビジョン受像機１１からCEC通信部８３が受信した<Report Power Status>の引数が、“On”または“In transition Standby to On”であるか否かを判定する。ここで、通信制御部２５３は、テレビジョン受像機１１からCEC通信部８３が受信した<Report Power Status>の引数が、“On”であるかのみを判定してもよい。
【０１４４】
この場合、図７のステップＳ１４の処理により送信されてくる<Report Power Status>の引数が“On”であるので、テレビジョン受像機１１の電源がオンであると判定され、処理は、ステップＳ８１に進む。
【０１４５】
ステップＳ８１において、カウンタ２５２は、カウントしていたカウント値をリセットし、処理は、ステップＳ７１に戻る。すなわち、テレビジョン受像機１１の電源がオンであるので、再度、ポーリングを受信したかの判定が行われる。
【０１４６】
以上のように、テレビジョン受像機１１の電源状態がオンである間は、AVアンプ１２は、HDMIパススルーを行う必要があるので、HDMIブロック９９への通電を停止することはない。
【０１４７】
一方、ステップＳ１１（図７）において、電源状態がオンでないと判定された場合、処理は、ステップＳ１５に進み、テレビジョン受像機１１の制御部３２は、テレビジョン受像機１１の装置全体の電源状態がスタンバイであるか否かを判定する。ステップＳ１５において、電源状態がスタンバイであると判定された場合、処理は、ステップＳ１６に進む。
【０１４８】
このとき、テレビジョン受像機１１の制御部３２は、CEC通信部５２に、<Polling Message>を送信させないので、ステップＳ７３（図９）においては、ポーリングメッセージを受信しなかったと判定される。さらに、ステップＳ７５においては、その後もテレビジョン受像機１１から<Polling Message>を受信することはないので、例えば、カウント値が31になり、カウントを開始してから31秒が経過したと判定され、処理は、ステップＳ７６に進む。
【０１４９】
ステップＳ７６において、通信制御部２５３は、<Give Device Power Status>を、メッセージ管理部２５４から読み出し、CEC通信部８３に、テレビジョン受像機１１に対して送信させる。
【０１５０】
ステップＳ７７において、カウンタ２５２は、CEC通信部８３がテレビジョン受像機１１に対して<Give Device Power Status>を送信してからのカウントを開始し、ステップＳ７８において、カウンタ２５２は、カウント値をリセットするとともに、新たに、カウント値を１インクリメントする。
【０１５１】
ステップＳ１６（図７）において、テレビジョン受像機１１の制御部３２は、CEC通信部５２が、AVアンプ１２から送信されてくる<Give Device Power Status>を受信したか否かを判定する。
【０１５２】
ステップＳ１６において、<Give Device Power Status>を受信していないと判定された場合、処理は、ステップＳ１７をスキップする。
【０１５３】
一方、ステップＳ１６において、<Give Device Power Status>を受信したと判定された場合、処理は、ステップＳ１７に進む。
【０１５４】
ステップＳ１７において、制御部３２は、CEC通信部５２に、CECメッセージである<Report Power Status>を送信させる。
【０１５５】
ここで、テレビジョン受像機１１の電源の状態はスタンバイ状態であるので、ステップＳ１７においては、制御部３２は、CEC通信部５２に、引数が“Standby”である<Report Power Status>を、AVアンプ１２に対して送信させる。
【０１５６】
ここで、ステップＳ７９（図９）において、AVアンプ１２の通信制御部２５３は、CEC通信部８３が、ステップＳ１７（図７）の処理によりテレビジョン受像機１１から送信されてくる<Report Power Status>を受信したか否かを判定する。
【０１５７】
ステップＳ７９において、テレビジョン受像機１１からの<Report Power Status>を受信したと判定された場合、処理は、ステップＳ８０に進む。
【０１５８】
ステップＳ８０において、通信制御部２５３は、CEC通信部８３が受信した<Report Power Status>の引数に基づいて、テレビジョン受像機１１の電源がオンであるか否かを判定する。この場合、図７のステップＳ１４の処理により送信されてくる<Report Power Status>の引数が“On”でなく“Standby”であるので、テレビジョン受像機１１の電源がオンでないと判定され、処理は、ステップＳ８３に進む。
【０１５９】
一方、ステップＳ７９において、テレビジョン受像機１１からの<Report Power Status>を受信していないと判定された場合、処理は、ステップＳ８２に進む。
【０１６０】
ステップＳ８２において、カウンタ２５２は、カウントしているカウント値が、所定のカウント値になったか否かを判定する。例えば、カウンタ２５２は、１秒間にカウント値を１インクリメントし、所定のカウント値が、例えば３である場合、カウント値が３になったか、すなわち、カウントを開始して（ステップＳ７７）から、例えば３秒が経過したか否かを判定する。
【０１６１】
ステップＳ８２において、例えば、カウント値が３になっていない、すなわち、カウントを開始して（ステップＳ７７）から３秒が経過していないと判定された場合、処理は、ステップＳ７８に戻り、カウント値を１インクリメントしてから、再度、<Report Power Status>を受信したか否かの判定を行う。ここで、<Report Power Status>を受信したと判定された場合には、ステップＳ８０において、<Report Power Status>の引数に基づいて、テレビジョン受像機１１の電源がオンであるか否かが判定される。また、カウントを開始して（ステップＳ７７）から３秒が経過していないと判定されている間は、カウンタ２５２は、１秒ごとにカウント値を１インクリメントする。
【０１６２】
一方、ステップＳ８２において、例えば、カウント値が３になり、カウントを開始して（ステップＳ７７）から３秒が経過したと判定された場合、すなわち、カウントを開始してから３秒の間に<Report Power Status>を受信しなかった場合、処理は、ステップＳ８２に進む。
【０１６３】
ステップＳ８２において、電源制御部２５１は、電源７４からHDMIブロック９９への通電を停止する、すなわち、HDMIブロック９９の電源をオフにして、処理は、図８のフローチャートのステップＳ３３に戻る。
【０１６４】
ステップＳ３４において、マイクロコンピュータ７２は、HDMIブロック電源をオフ制御していることを示す電源オフ中フラグをセットし、HDMIブロック９９の電源オフ処理は終了する。
【０１６５】
上述した処理において、<Give Device Power Status>を送信してから、<Report Power Status>を受信するまでの待ち時間を設けることは、HDMI-CECに対応していないテレビジョン受像機が接続されている場合や、テレビジョン受像機が１次電源オフ状態によりCECメッセージに返答できない場合に対しての保護処理となる。待ち時間が、所定の時間を越えた場合には、上述のようにHDMIブロック９９の電源をオフすることが最も望ましいが、オンのままとしてもよい。
【０１６６】
以上の処理によれば、テレビジョン受像機１１からのポーリングの受信間隔や、テレビジョン受像機１１の電源状態に応じて、AVアンプ１２のHDMIブロック９９への通電を制御することができる。すなわち、テレビジョン受像機１１の電源状態がスタンバイである場合、AVアンプ１２は、HDMIパススルーを行う必要がなく、HDMIブロック９９への通電を停止することができるので、待機電力の消費を低減することが可能となる。
【０１６７】
また、CEC対応機器は、上述したテレビジョン受像機１１のような電源スタンバイの状態の他のCEC対応機器を、１回の操作で起動させる（電源オン状態にさせる）“One Touch Play”機能を有する。
【０１６８】
すなわち、ステップＳ９１（図１０）において、BDレコーダ１４の制御部１０３は、例えば、再生ボタン等の、図示せぬユーザ操作部が操作されることによって、“One Touch Play”機能が指示されたか否かを判定する。
【０１６９】
ステップＳ９１において、“One Touch Play”機能が指示されたと判定された場合、処理は、ステップＳ９２に進み、制御部１０３は、<Active Source>を、CEC通信部１１１に、テレビジョン受像機１１およびAVアンプ１２に対して送信させる。<Active Source>は、“One Touch Play”機能が、BDレコーダ１４において指示されたときに、BDレコーダ１４から送信されるCECメッセージである。
【０１７０】
ステップＳ９２において、制御部１０３は、<Text View On>を、CEC通信部１１１に、テレビジョン受像機１１宛に送信させる。<Text View On>は、“One Touch Play”機能が、BDレコーダ１４において指示されたときに、BDレコーダ１４からテレビジョン受像機１１宛に送信されるCECメッセージである。
【０１７１】
ここで、ステップＳ１８（図７）において、テレビジョン受像機１１の制御部３２は、CEC通信部５２が、BDレコーダ１４から送信されてくる<Active Source>または<Text View On>を受信したか否かを判定する。
【０１７２】
ステップＳ１８において、<Active Source>および<Text View On>のいずれも受信していないと判定された場合、処理は、ステップＳ１１に戻る。
【０１７３】
一方、ステップＳ１８において、<Active Source>または<Text View On>を受信したと判定された場合、処理は、ステップＳ１９に進む。
【０１７４】
ステップＳ１９において、制御部３２は、テレビジョン受像機１１の電源をオンにして、処理は、ステップＳ１１に戻る。
【０１７５】
以上のように、テレビジョン受像機１１は、BDレコーダ１４における“One Touch Play”機能の指示に応じて、電源をオンにすることができる。
【０１７６】
一方、ステップＳ１１１（図１１）において、AVアンプ１２の電源制御部２５１は、電源７４からAVアンプ１２の各部への電力供給状態を基に、AVアンプ１２の装置全体の電源状態がACTIVE STANDBY状態（スタンバイ状態）であるか否かを判定する。
【０１７７】
ステップＳ１１１において、AVアンプ１２の装置全体の電源状態がACTIVE STANDBY状態でないと判定された場合、すなわち、AVアンプ１２の電源状態がPOWER ONまたはOFFである場合、ACTIVE STANDBY状態となるまで、ステップＳ１１１の処理を繰り返す。このとき、表示部９６の電源ランプは緑色に点灯または消灯している。
【０１７８】
一方、ステップＳ１１１において、AVアンプ１２の装置全体の電源状態がACTIVE STANDBY状態であると判定された場合、処理は、ステップＳ１１２に進み、マイクロコンピュータ７２は、電源オフ中フラグがセットされているか否かを判定する。
【０１７９】
ステップＳ１１２において、電源オフ中フラグがセットされていないと判定された場合、処理は、ステップＳ１１１に戻り、ステップＳ１１１，Ｓ１１２の処理を繰り返す。
【０１８０】
一方、ステップＳ１１２において、電源オフ中フラグがセットされていると判定された場合、処理は、ステップＳ１１３に進む。
【０１８１】
ステップＳ１１３（図１１）において、AVアンプ１２の通信制御部２５３は、CEC通信部８３がBDレコーダ１４やその他のCEC対応機器から送信されてくる<Active Source>を受信したか否かを判定する。
【０１８２】
ステップＳ１１３において、<Active Source>を受信していないと判定された場合、<Active Source>を受信するまで、ステップＳ１１１乃至１１３の処理を繰り返す。
【０１８３】
一方、ステップＳ１１３において、<Active Source>を受信したと判定された場合、処理は、ステップＳ１１４に進み、電源制御部２５１は、電源７４からHDMIブロック９９への通電を開始する、すなわち、HDMIブロック９９の電源をオンにする。
【０１８４】
ステップＳ１１５において、マイクロコンピュータ７２は、HDMIブロック電源をオフ制御していることを示す電源オフ中フラグをクリアし、HDMIブロック９９の電源オン処理は終了する。
【０１８５】
以上のように、BDレコーダ１４における“One Touch Play”機能の指示に応じて、AVアンプ１２は、HDMIブロック９９の電源をオンするので、テレビジョン受像機１１の電源がオンになるのに伴って、再度、HDMIパススルーを行うことができる。
【０１８６】
また、ステップＳ１５（図７）において、電源状態がスタンバイでない、すなわち、電源状態がオフであると判定された場合、処理は、ステップＳ７１を繰り返す。このとき、図９のフローチャートにおいては、AVアンプ１２は、ポーリングを受信せず（ステップＳ７３）、<Report Power Status>も受信せず（ステップＳ７９）、HDMIブロック９９の電源をオフする。
【０１８７】
なお、以上においては、ステップＳ９２において、<Text View On>を送信するようにしたが、ほぼ同様の機能を有するCECメッセージ<Image View On>を送信するようにしても良い。
【０１８８】
以上の処理をまとめると、図１２のフローチャートで示されるような処理となる。
【０１８９】
すなわち、ステップＳ１２において、テレビジョン受像機１１は、HDMIケーブルで接続され、CEC対応機器であるAVアンプ１２およびBDレコーダ１４に対して、<Polling Message>を送信する。テレビジョン受像機１１は、定期的に（例えば、15秒間に１回）、<Polling Message>を送信する。
【０１９０】
ステップＳ７３において、AVアンプ１２は、テレビジョン受像機１１から送信されてくる<Polling Message>を、例えば、15秒間隔で受信する。
【０１９１】
このとき、BDレコーダ１４は、テレビジョン受像機１１から送信されてくる<Polling Message>を、例えば、15秒間隔で受信する。
【０１９２】
ステップＳ１５において、テレビジョン受像機１１は、ユーザによるテレビジョン受像機１１の電源状態をスタンバイ状態にする操作に応じて、自身の電源状態をスタンバイ状態にする。これにより、テレビジョン受像機１１は、AVアンプ１２およびBDレコーダ１４に対して定期的に行っていた<Polling Message>の送信を停止する。
【０１９３】
ステップＳ７５において、AVアンプ１２は、最後に<Polling Message>を受信してからｎ秒が経過したことを検知する。ここで、時間ｎ（秒）は、例えば、<Polling Message>の送信間隔である15秒を２倍し、さらに１秒のマージンを加えた31秒とされるが、<Polling Message>の送信間隔に応じて、適宜、変更することができる。
【０１９４】
また、ここで、AVアンプ１２は、例えば、テレビジョン受像機１１の電源状態がスタンバイ状態になったときに、テレビジョン受像機１１から送信されてくる<Standby>（図示せず）を受信したことを検知してもよい。<Standby>は、ユーザによってテレビジョン受像機１１の電源状態をスタンバイ状態にする操作がされたときに、テレビジョン受像機１１から送信されるCECメッセージである。AVアンプ１２は、この<Standby>を受信することで、自動的にACTIVE STANDBY状態に遷移し、上述のように、HDMIブロック９９の電源を制御する状態となる。
【０１９５】
ステップＳ７６において、AVアンプ１２は、テレビジョン受像機１１に対して<Give Device Power Status>を送信する。
【０１９６】
ステップＳ１６において、テレビジョン受像機１１は、AVアンプ１２から送信されてきた<Give Device Power Status>を受信する。
【０１９７】
ステップＳ１７において、テレビジョン受像機１１は、自身の電源状態がスタンバイ状態であるので、電源状態がスタンバイ状態であることを表す“Standby”を引数とした<Report Power Status>を、AVアンプ１２に送信する。
【０１９８】
ステップＳ７９，Ｓ８０において、AVアンプ１２は、テレビジョン受像機１１から送信されてきた<Report Power Status>（引数は“Standby”）を受信する。
【０１９９】
ステップＳ８３において、AVアンプ１２は、受信した<Report Power Status>の引数が、テレビジョン受像機１１の電源がオンでないことを表しているので、HDMIブロック９９の電源をオフにする。
【０２００】
以上の処理によれば、AVアンプ１２（HDMIリピータ）の装置全体の電源状態がスタンバイ状態（ACTIVE STANDBY）、かつ、HDMIブロック９９の動作の制御が可能（Control for HDMI＝ON）である場合に、AVアンプ１２（HDMIリピータ）は、テレビジョン受像機１１（HDMIシンク）からのポーリングの受信間隔や、テレビジョン受像機１１の電源状態に応じて、HDMIパススルーを行うHDMIブロック９９の電源をオフすることができる。このとき、AVアンプ１２は、テレビジョン受像機１１の電源がオンでないので、HDMIパススルーを行う必要がなく、HDMIブロック９９への通電を行わないようにすることで、スタンバイ状態における待機電力の消費を低減することが可能となる。
【０２０１】
なお、上述した説明では、テレビジョン受像機１１は、定期的に<Polling Message>を送信するものとしたが、テレビジョン受像機１１が定期的に<Polling Message>を送信しない仕様である場合、AVアンプ１２は、<Give Device Power Status>の送信、および、<Report Power Status>の受信によって、テレビジョン受像機１１の電源状態を把握する。
【０２０２】
また、図１２のステップＳ１５において、テレビジョン受像機１１の電源状態を１次電源オフにした場合等の特定の場合には、テレビジョン受像機１１は、AVアンプ１２からの<Give Device Power Status>に対して、<Report Power Status>を送信することができないことがある。すなわち、AVアンプ１２は、<Report Power Status>を受信することはないので、<Give Device Power Status>を送信してから所定の時間経過後、HDMIブロック９９の電源をオフする。また、テレビジョン受像機１１がCEC対応機器でない場合や、テレビジョン受像機１１において、CECに関する機能を無効にする設定がされている場合も、AVアンプ１２は、同様の動作をする。
【０２０３】
ステップＳ９１において、BDレコーダ１４は、例えば、再生ボタン等の、図示せぬユーザ操作部が操作されることによって、“One Touch Play”機能を指示する。
【０２０４】
BDレコーダ１４は、ステップＳ９２において、<Active Source>を、テレビジョン受像機１１およびAVアンプ１２に対して送信し、ステップＳ９３において、<Text View On>を、テレビジョン受像機１１に対して送信する。
【０２０５】
テレビジョン受像機１１は、ステップＳ１８において、BDレコーダ１４からの<Active Source>および<Text View On>を受信する。
【０２０６】
ステップＳ１９において、テレビジョン受像機１１は、受信した<Active Source>、または、<Text View On>に基づいて、スタンバイ状態であった電源をオンにする。
【０２０７】
また、ステップＳ１１３において、AVアンプ１２は、BDレコーダ１４からの<Active Source>を受信する。
【０２０８】
ステップＳ１１４において、AVアンプ１２は、受信した<Active Source>に基づいて、HDMIブロック９９の電源をオンにする。
【０２０９】
以上の処理によれば、AVアンプ１２の装置全体の電源状態がACTIVE STANDBY状態、かつ、HDMIブロック９９の動作の制御が可能（Control for HDMI＝ON）である場合に、HDMIブロック９９の電源がオフであっても、BDレコーダ１４（HDMIソース）における“One Touch Play”機能の指示に応じて、AVアンプ１２（HDMIリピータ）は、HDMIブロック９９の電源をオンにすることができる。このとき、テレビジョン受像機１１の電源もオンにされるので、AVアンプ１２は、待機電力の消費を低減している状態から、再度、HDMIパススルーを行うことが可能となる。
【０２１０】
上述した説明においては、AVアンプ１２は、BDレコーダ１４からの<Active Source>に基づいて、HDMIブロック９９の電源をオンにするようにしたが、他のCECメッセージに基づいて、HDMIブロック９９の電源をオンにするようにしてもよい。例えば、テレビジョン受像機１１からの<Polling Message>や、テレビジョン受像機１１のHDMI入力での起動時に一斉に送信される<Routing Change>，<Routing Information>の受信に基づいて、AVアンプ１２は、HDMIブロック９９の電源をオンにするようにしてもよい。これにより、例えば、BDレコーダ１４が、CEC対応機器でない場合でも、テレビジョン受像機１１からのCECメッセージに基づいて、HDMIブロック９９の電源をオンにすることができる。
【０２１１】
ここで、<Routing Change>は、テレビジョン受像機１１の起動時等に、HDMI接続されている他のHDMI装置間において、アクティブな（有効な）接続先が変更された場合に、HDMI接続されているHDMI装置全体に送信されるCECメッセージである。また、<Routing Information>は、テレビジョン受像機１１の起動時等に、HDMI接続されているHDMI装置全体に送信されるCECメッセージである。
【０２１２】
また、AVアンプ１２は、さらに他のCECメッセージの受信に基づいて、HDMIブロック９９の電源を制御にするようにしてもよい。HDMI-CEC規格では、Vender Specific Commandという製造メーカ固有のメッセージを定義し運用することができ、上述してきたようなHDMI-CEC規格において汎用的に規定されたメッセージを使用するほかに、Vender Specific Commandを別途使用するようにしてもよい。
【０２１３】
さらに、上述した例においては、HDMIブロック９９への通電の開始時に、特にメッセージの送信元を意識することなく<Active Source>を受信するようにしたが、メッセージに付加される物理アドレスを基に、HDMI信号がAVアンプ１２を経由するか否かを判断した上で、HDMIブロック９９への通電を行うこともできる。すなわち、メッセージの送信元が、AVアンプ１２の枝に存在するか否かを判定することで、HDMIブロック９９への通電を開始することができる。
【０２１４】
具体的には、図１に示されるように、テレビジョン受像機１１、AVアンプ１２、BDレコーダ１４、DVDプレーヤ１５、および衛星チューナ１６の物理アドレスはそれぞれ、（0.0.0.0），（1.0.0.0），（1.1.0.0），（1.2.0.0），（1.3.0.0）である。ここで、<Active Source>の送信対象を（0.0.0.0）および（1.*.*.*）（*は任意の値）のみに限定して動作させた場合、AVアンプ１２のHDMIの枝と全く関係のないCEC対応機器（図示せず）が操作されたときに、一時的にHDMIブロック９９への通電を行う動作がなくなる。したがって、上述した例と比べて、より省電力な動作とすることができる。
【０２１５】
なお、他のメッセージについて、例えば、<Routing Change>は、その引数として、変更前後の物理アドレスが付加されるが、変更後の物理アドレスを上述のようにすることで、<Routing Change>の送信対象を限定することができる。また、<Routing Information>は、<Active Source>と同様にして、その送信対象を限定することができる。
【０２１６】
以上のような構成によれば、AVアンプ１２のACTIVE STANDBY時のHDMIパススルーを、テレビジョン受像機１１の電源状態に連動させて行うことができる。したがって、HDMI-CEC規格に対応していないHDMIソース（図示せず）をAVアンプ１２に接続した場合でも、テレビジョン受像機１１の電源を入れたタイミングで送信されるメッセージにより、そのタイミングからAVアンプ１２のHDMIパススルーを開始させることが可能となり、待機電力の消費を抑えることができる。
【０２１７】
なお、以上においては、HDMIリピータにおけるHDMIブロックの通電の制御について説明してきたが、HDMIリピータに限らず、CEC対応機器であって、HDMIブロックを有するHDMIシンクやHDMIソースにおいても、同様にして、HDMIブロックの通電の制御を行うことができる。
【０２１８】
上述したAVアンプ１２による一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータ等に、プログラム記録媒体からインストールされる。
【０２１９】
図１３は、上述した一連の処理をプログラムにより実行するコンピュータのハードウェアの構成例を示すブロック図である。
【０２２０】
コンピュータにおいて、マイクロコンピュータ７２に対応するCPU（Central Processing Unit）９０１、ROM（Read Only Memory）９０２、RAM（Random Access Memory）９０３は、バス９０４により相互に接続されている。
【０２２１】
バス９０４には、さらに、入出力インタフェース９０５が接続されている。入出力インタフェース９０５には、キーボード、マウス、マイクロホン等よりなる入力部９０６、ディスプレイ、スピーカ等よりなる出力部９０７、ハードディスクや不揮発性のメモリ等よりなる記憶部９０８、ネットワークインタフェース等よりなる通信部９０９、磁気ディスク、光ディスク、光磁気ディスク、或いは半導体メモリ等のリムーバブルメディア９１１を駆動するドライブ９１０が接続されている。
【０２２２】
以上のように構成されるコンピュータでは、CPU９０１が、例えば、記憶部９０８に記憶されているプログラムを、入出力インタフェース９０５およびバス９０４を介して、RAM９０３にロードして実行することにより、上述した一連の処理が行われる。
【０２２３】
コンピュータ（CPU９０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリ等よりなるパッケージメディアであるリムーバブルメディア９１１に記録して、あるいは、ローカルエリアネットワーク、インターネット、デジタル衛星放送といった、有線または無線の伝送媒体を介して提供される。
【０２２４】
そして、プログラムは、リムーバブルメディア９１１をドライブ９１０に装着することにより、入出力インタフェース９０５を介して、記憶部９０８にインストールすることができる。また、プログラムは、有線または無線の伝送媒体を介して、通信部９０９で受信し、記憶部９０８にインストールすることができる。その他、プログラムは、ROM９０２や記憶部９０８に、あらかじめインストールしておくことができる。
【０２２５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２２６】
また、本発明の実施の形態は、上述した実施の形態に限定されるものではなく、本発明の要旨を逸脱しない範囲において種々の変更が可能である。
【図面の簡単な説明】
【０２２７】
【図１】本発明を適用した一実施の形態としてのAVシステムの構成例を示すブロック図である。
【図２】テレビジョン受像機の構成例を示すブロック図である。
【図３】AVアンプの構成例を示すブロック図である。
【図４】BDレコーダの構成例を示すブロック図である。
【図５】AVシステムの機能構成例を示すブロック図である。
【図６】AVアンプの装置全体の電源状態と、HDMIブロックへの通電状態との関係を説明する図である。
【図７】テレビジョン受像機による電源状態送信処理を説明するフローチャートである。
【図８】AVアンプによるHDMIブロックの電源オフ処理を説明するフローチャートである。
【図９】AVアンプによるHDMIブロックの電源オフ制御処理を説明するフローチャートである。
【図１０】BDレコーダによる起動指示処理を説明するフローチャートである。
【図１１】AVアンプによるHDMIブロックの電源オン処理を説明するフローチャートである。
【図１２】AVシステムにおける動作の流れを説明するアローチャートである。
【図１３】コンピュータのハードウェアの構成例を示すブロック図である。
【符号の説明】
【０２２８】
１１  テレビジョン受像機，  １２  AVアンプ，  １４  BDレコーダ，  １５  DVDプレーヤ，  １６  衛星チューナ，  ７２  マイクロコンピュータ，  ７４  電源，  ８３  CEC通信部，  ９９  HDMIブロック，  ２５１  電源制御部，  ２５２  カウンタ，  ２５３  通信制御部，  ２５４  メッセージ管理部
【図１】
2010130068.tif 000003
【図２】
2010130068.tif 000004
【図３】
2010130068.tif 000005
【図４】
2010130068.tif 000006
【図５】
2010130068.tif 000007
【図６】
2010130068.tif 000008
【図７】
2010130068.tif 000009
【図８】
2010130068.tif 000010
【図９】
2010130068.tif 000011
【図１０】
2010130068.tif 000012
【図１１】
2010130068.tif 000013
【図１２】
2010130068.tif 000014
【図１３】
2010130068.tif 000015
【手続補正書】
【提出日】平成22年2月17日(2010.2.17)
【手続補正１】
【補正対象書類名】明細書
【補正対象項目名】０１６２
【補正方法】変更
【補正の内容】
【０１６２】
一方、ステップＳ８２において、例えば、カウント値が３になり、カウントを開始して（ステップＳ７７）から３秒が経過したと判定された場合、すなわち、カウントを開始してから３秒の間に<Report Power Status>を受信しなかった場合、処理は、ステップＳ８３に進む。
【手続補正２】
【補正対象書類名】明細書
【補正対象項目名】０１６３
【補正方法】変更
【補正の内容】
【０１６３】
ステップＳ８３において、電源制御部２５１は、電源７４からHDMIブロック９９への通電を停止する、すなわち、HDMIブロック９９の電源をオフにして、処理は、図８のフローチャートのステップＳ３３に戻る。
【手続補正３】
【補正対象書類名】明細書
【補正対象項目名】０１７０
【補正方法】変更
【補正の内容】
【０１７０】
ステップＳ９３において、制御部１０３は、<Text View On>を、CEC通信部１１１に、テレビジョン受像機１１宛に送信させる。<Text View On>は、“One Touch Play”機能が、BDレコーダ１４において指示されたときに、BDレコーダ１４からテレビジョン受像機１１宛に送信されるCECメッセージである。
【手続補正４】
【補正対象書類名】図面
【補正対象項目名】図４
【補正方法】変更
【補正の内容】
【図４】
2010130068.tif 000016